(57)【要約】【課題】多重入力多重出力チャンネルの特性を活用してデータを効率的に送信するスケジューラおよびスケジューリング方法を提供する。【解決手段】複数の受信アンテナと、第１ステーションおよび第２ステーションからチャンネル測定信号を受信する受信部と、受信されたチャンネル測定信号を用いて、第１ステーションおよび第２ステーションから複数の受信アンテナまでの無線チャンネルに対するチャンネル状態行列を生成するチャンネル推定部と、チャンネル状態行列および受信アンテナの個数に応じて、第１ステーションを第１送信ステーションとして選択するスケジューラと、を備え、受信部は、第１送信ステーションから送信された第１データストリームを受信することを特徴とするアクセスポイント。【選択図】図１
2010103996.tif 000002
【特許請求の範囲】
【請求項１】
複数の受信アンテナと、
第１ステーションおよび第２ステーションからチャンネル測定信号を受信する受信部と、
受信された前記チャンネル測定信号を用いて、前記第１ステーションおよび前記第２ステーションから前記複数の受信アンテナまでの無線チャンネルに対するチャンネル状態行列を生成するチャンネル推定部と、
前記チャンネル状態行列および前記受信アンテナの個数に応じて、前記第１ステーションを第１送信ステーションとして選択するスケジューラと、
を備え、
前記受信部は、前記第１送信ステーションから送信された第１データストリームを受信することを特徴とするアクセスポイント。
【請求項２】
前記第１ステーションは、複数の送信アンテナを備え、
前記スケジューラは、前記送信アンテナの個数に応じて前記第１送信ステーションを選択することを特徴とする請求項１に記載のアクセスポイント。
【請求項３】
前記スケジューラは、
前記受信アンテナに同時に送信されるデータストリームの個数を決定することを特徴とする請求項１に記載のアクセスポイント。
【請求項４】
前記スケジューラは、
前記受信部が前記第１送信ステーションから前記第１データストリームを受信する第１データ受信期間を決定することを特徴とする請求項１に記載のアクセスポイント。
【請求項５】
前記チャンネル測定信号に基づいて、前記無線チャンネルに対する信号対干渉および雑音比を測定する信号対干渉および雑音比測定部と、
をさらに備え、
前記スケジューラは、前記第１ステーションの第１信号対干渉および雑音比によって前記第１ステーションを前記第１送信ステーションとして選択することを特徴とする請求項１に記載のアクセスポイント。
【請求項６】
前記第１送信ステーションの識別子を前記第１送信ステーションおよび前記第２ステーションに送信する送信部と、
をさらに備えることを特徴とする請求項１に記載のアクセスポイント。
【請求項７】
前記受信部は、第１チャンネル測定信号を前記第１ステーションの第１送信アンテナから受信し、第２チャンネル測定信号を前記第１ステーションの第２送信アンテナから受信し、
前記スケジューラは、前記少なくとも１つの第１送信アンテナおよび前記少なくとも１つの第２送信アンテナを前記アクセスポイントに前記第１データストリームを送信するデータ送信アンテナとして選択することを特徴とする請求項１に記載のアクセスポイント。
【請求項８】
前記データ送信アンテナの識別子を前記第１ステーションおよび第２ステーションに送信する送信部と、
をさらに備えることを特徴とする請求項７に記載のアクセスポイント。
【請求項９】
前記チャンネル測定信号は、
類似雑音コードまたは所定の長さの直交コードを含むことを特徴とする請求項１に記載のアクセスポイント。
【請求項１０】
第１送信アンテナを用いて第１チャンネル測定信号をアクセスポイントに送信する送信部と、
前記アクセスポイントにより受信されたチャンネル測定信号に基づいて前記アクセスポイントにより選択された第１送信ステーションの識別子を受信する受信部と、
前記ステーションの送信アンテナの個数および前記アクセスポイントの受信アンテナの個数を考慮してデータ送信率を決定する制御部と、
を備え、
前記識別子が前記ステーションに対応する場合は、前記送信部は、前記識別子および前記データ送信率に基づいてデータストリームを前記アクセスポイントに送信することを特徴とするステーション。
【請求項１１】
前記受信部は、
前記第１送信ステーションの識別子を含むデータフレームを受信することを特徴とする請求項１０に記載のステーション。
【請求項１２】
前記受信部は、
前記データフレームに含まれた前記第１送信ステーションの識別子を受信し、前記データフレームに第２送信ステーションの識別子を送信するか否かを指示する指示子を受信することを特徴とする請求項１０に記載のステーション。
【請求項１３】
前記受信部は、前記アクセスポイントからチャンネル測定信号割り当て情報を受信し、
前記送信部は、前記チャンネル測定信号割り当て情報に基づいて前記第１チャンネル測定信号を生成し、前記第１チャンネル測定信号を送信することを特徴とする請求項１０に記載のステーション。
【請求項１４】
前記送信部は、
前記第１送信アンテナを用いて第１チャンネル測定信号を送信し、第２送信アンテナを用いて第２チャンネル測定信号を送信することを特徴とする請求項１０に記載のステーション。
【請求項１５】
前記識別子は、前記データ送信アンテナをさらに識別し、
前記識別子が前記第１送信アンテナまたは前記第２送信アンテナに対応する場合に、
前記送信部は、前記データ送信アンテナの識別子を考慮して前記データストリームを送信することを特徴とする請求項１４に記載のステーション。
【請求項１６】
前記受信部は、前記アクセスポイントから前記第１送信ステーションに対するデータ送信期間情報を受信し、
前記送信部は、前記データ送信時間区間情報に基づいて前記データストリームを送信することを特徴とする請求項１１に記載のステーション。
【請求項１７】
複数の受信アンテナを用いて第１ステーションおよび第２ステーションからチャンネル測定信号を受信し、
前記受信されたチャンネル測定信号を用いて、前記第１ステーションおよび前記第２ステーションから前記複数の受信アンテナまでに形成された無線チャンネルに対するチャンネル状態行列を生成し、
前記チャンネル状態行列および前記受信アンテナの個数に応じて、前記第１ステーションをデータを送信する第１送信ステーションとして選択し、
前記第１送信ステーションからデータストリームを受信することを特徴とするデータ受信方法。
【請求項１８】
前記第１ステーションは、複数の送信アンテナを備え、
前記第１ステーションは、前記送信アンテナの個数に応じて前記第１送信ステーションとして選択されることを特徴とする請求項１７に記載のデータ受信方法。
【請求項１９】
前記第１送信ステーションが同時に送信するデータストリームの個数を決定することを特徴とする請求項１７に記載のデータ受信方法。
【請求項２０】
前記第１送信ステーションが前記データストリームを送信するデータ送信期間を決定することを特徴とする請求項１７に記載のデータ受信方法。
【請求項２１】
第１送信アンテナを用いて第１チャンネル測定信号をアクセスポイントに送信し、
前記アクセスポイントにより受信されたチャンネル測定信号に基づいて前記アクセスポイントにより選択された第１送信ステーションの識別子を受信し、
前記ステーションの前記送信アンテナの個数および前記アクセスポイントの受信アンテナの個数を考慮してデータ送信率を決定し、
前記識別子が前記ステーションに対応する場合、前記識別子および前記データ送信率に基づいてデータストリームを前記アクセスポイントに送信することを特徴とするデータ送信方法。
【請求項２２】
前記識別子は、データフレームに含まれて受信されることを特徴とする請求項２１に記載のデータ送信方法。
【請求項２３】
前記送信ステーションの識別子を受信する工程は、
データフレームに含まれた前記第１送信ステーションの識別子を受信し、前記データフレームに第２送信ステーションの識別子が含まれるか否かを指示する指示子を受信することを特徴とする請求項２１に記載のデータ送信方法。
【請求項２４】
請求項１７乃至２３のうちのいずれか一項の方法を実行させるためのプログラムを記録したコンピュータ読み取り可能な記録媒体。
【発明の詳細な説明】
【技術分野】
【０００１】
本発明は、移動通信システムに関し、より詳細には、多重ユーザ多重入力多重出力システム（ＭＩＭＯ；Ｍｕｌｔｉｐｌｅ−Ｉｎｐｕｔ  Ｍｕｌｔｉｐｌｅ−Ｏｕｔｐｕｔ）においてデータ送信期間およびデータ送信ステーション及び（又は）データ送信アンテナを選択するスケジューラおよびスケジューリング方法に関する。
【背景技術】
【０００２】
無線ＬＡＮ（ＷＬＡＮ；ｗｉｒｅｌｅｓｓ  ｌｏｃａｌ  ａｒｅａ  ｎｅｔｗｏｒｋ）は、ケーブルを用いずに無線でネットワーク上のノード間に近距離通信網（ＬＡＮ）を構築する技術である。無線ＬＡＮは、有線ＬＡＮ特有の実現の容易性と拡張性をそのまま維持しながらもケーブル基盤のネットワーク構築作業によって招来する費用増加を防ぎ、ユーザにより便利なネットワーク接続環境を提供することができるという特徴がある。
【０００３】
最近、ＰＤＡ（Ｐｏｒｔａｂｌｅ  Ｄｉｇｉｔａｌ  Ａｓｓｉｓｔａｎｃｅ）、ＰＭＰ（Ｐｏｒｔａｂｌｅ  Ｍｅｄｉａ  Ｐｌａｙｅｒ）、タブレットＰＣ（Ｔａｂｌｅｔ  Ｐｅｒｓｏｎａｌ  Ｃｏｍｐｕｔｅｒ）のような多様な種類の携帯型機器がその使用範囲を拡大しており、このような携帯型機器を介したネットワークへの接続に対するユーザの需要が増加するに伴い、無線ＬＡＮに対する関心が急増する傾向にある。
【０００４】
無線ＬＡＮと関連した代表的な標準としては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１Ｗｉ−Ｆｉ規格がある。ＩＥＥＥ８０２．１１標準は、１９９７年に初めてリリース（ｒｅｌｅａｓｅ）されて以来、次第により高い性能を支援するために１１ａ、１１ｂ、１１ｇなどの改定（ｒｅｖｉｓｉｏｎ）を経て、現在はＩＥＥＥ８０２．１１ｎバージョンの標準化作業が進められている。
【０００５】
活発に標準化作業が進められているＩＥＥＥ８０２．１１ｎは、物理階層（ｐｈｙｓｉｃａｌ  ｌａｙｅｒ）における高いデータ送信率を支援するために多重入力多重出力（以下、「ＭＩＭＯ」と称する）方式のシステム構成を選定している。ＭＩＭＯ通信方式とは、送信端が複数の送信アンテナを介して様々な経路でデータを送信し、受信端も複数の受信アンテナを介して様々な経路から受信された信号を用いてデータを検出することによってデータ送信率を向上させ、多重経路環境における干渉を除去する技法を意味する。
【０００６】
したがって、ＩＥＥＥ８０２．１１ｎの無線ＬＡＮ環境のステーション（ｓｔａｔｉｏｎ；ＳＴＡ）とアクセスポイント（ａｃｃｅｓｓ  ｐｏｉｎｔ；ＡＰ）はそれぞれ複数のアンテナを備え、この構成により、既存のバージョンに比べて物理階層においてより向上したデータ送信率が支援できるようになった。しかしながら、物理階層における性能向上にもかかわらず、ＭＡＣ（Ｍｅｄｉａ  Ａｃｃｅｓｓ  Ｃｏｎｔｒｏｌ）階層のプロトコルが有する限界により、全体的なデータ送信スループットの向上を抑制している。
【０００７】
特定アクセスポイントに接続された複数のステーションは、同じ時間スロットでデータをアクセスポイントに送信することができる。アクセスポイントが１つの受信アンテナのみを備えた場合に、アクセスポイントは、複数のステーションがそれぞれ送信したデータのうちのいずれのデータも確実に受信することができない。具体的に２つのステーションが同時にデータストリームを送信する場合、１つの受信アンテナを備えるアクセスポイントが、そのデータストリームを受信できない可能性がある。むしろ、同時に送信されたデータストリームが互いに衝突してデータストリーム内にエラーが発生する可能性がある。
【０００８】
したがって、このような場合、アクセスポイントから確認応答信号（ＡＣＫ）を受信することができなかった複数のステーションは、それぞれデータを再送信する。
【０００９】
１つのアクセスポイントがカバーするステーションの数が少ないときには衝突確率が低いため、フレーム再送信による性能低下が大したことはないが、ステーションの数が多くなれば衝突確率が増加し、これによりデータ送信スループットは悪化する。
【００１０】
これにより、本発明では、ＭＩＭＯ技術をＭＡＣ階層のスケジューラに適用することによって上述したデータ衝突のリスクを低減する新しい技術を提案する。
【発明の概要】
【発明が解決しようとする課題】
【００１１】
本発明は、多重入力多重出力（ＭＩＭＯ）チャンネルの特性を活用してデータを効率的に送信するスケジューラおよびスケジューリング方法を提供することを目的とする。
【００１２】
また、本発明は、複数のステーションからデータを複数の受信アンテナを有するアクセスポイントで同時に受信してアクセスポイントのデータ受信性能を高めるスケジューラおよびスケジューリング方法を提供することを他の目的とする。
【００１３】
本発明の別の側面は、以下の明細書の記載によって、説明され、本発明の実施形態によって理解される。
【課題を解決するための手段】
【００１４】
上述した目的を達成して従来技術の問題点を解決するために、本発明の実施形態によれば、アクセスポイントは、複数のステーションから複数の受信アンテナを用いてチャンネル測定信号を受信する受信部と、前記受信されたチャンネル測定信号を用いて、前記それぞれのステーションから前記複数の受信アンテナまでの無線チャンネルに対する複数のチャンネル状態行列を生成するチャンネル推定部と、前記複数のチャンネル状態行列および前記複数の受信アンテナの個数に応じて、第１送信ステーションとして前記第１ステーションを選択するスケジューラとを備え、前記受信部は、前記送信ステーションからデータストリームを受信することを特徴とするアクセスポイントを提供する。
【００１５】
本発明の一実施形態によれば、ステーションは、複数の送信アンテナを用いてチャンネル測定信号をアクセスポイントに送信する送信部と、前記チャンネル測定信号に基づいて選択された少なくとも１つ以上の送信ステーションの識別子を受信する受信部と、前記ステーションの送信アンテナの個数および前記アクセスポイントの受信アンテナの個数を考慮してデータ送信率を決定する制御部とを備え、前記送信部は、前記識別子が前記ステーションに対応する場合は、前記送信ステーションの識別子および前記データ送信率に基づいてデータストリームを前記アクセスポイントに送信することを特徴とするステーションが提供される。
【００１６】
本発明のさらに他の実施形態によれば、データ受信方法は、第１及び第２のステーションから複数の受信アンテナを用いてチャンネル測定信号を受信し、前記受信されたチャンネル測定信号を用いて、前記第１及び第２のステーションから前記複数の受信アンテナまでの無線チャンネルに対する複数のチャンネル状態行列を生成し、前記複数のチャンネル状態行列および前記受信アンテナの個数に応じて第１送信ステーションとして前記第１送信ステーションを選択し、前記第１送信ステーションからデータストリームを受信することを含むことを特徴とするデータ受信方法が提供される。
【００１７】
本発明のさらに他の実施形態によれば、データ送信方法は、第１送信アンテナを用いて第１チャンネル測定信号をアクセスポイントに送信し、前記アクセスポイントが受信したチャンネル測定信号に基づいて前記アクセスポイントが選択した第１送信ステーションの識別子を受信し、前記ステーションの前記送信アンテナの個数および前記アクセスポイントの受信アンテナの個数を考慮してデータ送信率を決定し、前記識別子が前記ステーションに対応する場合、前記識別子および前記データ送信率に基づいてデータストリームを前記アクセスポイントに送信することを含むことを特徴とするデータ送信方法が提供される。
【００１８】
以下の包括的な記載及び詳細な記載は、一実施形態の説明に過ぎず、クレームされた発明の詳細な説明を提供することにより理解されるであろう。
【発明の効果】
【００１９】
本発明によれば、多重入力多重出力チャンネルの特性を活用してデータを効率的に送信することができる。
【００２０】
また、本発明によれば、複数のステーションからデータを同時に受信してアクセスポイントのデータ受信性能を高めることができる。
【図面の簡単な説明】
【００２１】
【図１】本発明の一実施形態に係る多重入力多重出力システムの概念を示す図である。
【図２】本発明の一実施形態に係るアクセスポイントの構造を示すブロック図である。
【図３】本発明の一実施形態に係る複数のステーションがアクセスポイントから受信したデータ送信期間にデータを送信する場合を示す図である。
【図４】本発明の一実施形態に係るステーションの構造を示すブロック図である。
【図５】本発明の一実施形態に係る送信ステーションの識別子を含むデータフレームの構造を示す図である。
【図６】本発明の一実施形態に係る送信ステーションの識別子および指示子を送信するアクセスポイントの動作を示す図である。
【図７】本発明の一実施形態に係るデータ受信方法をステップ別に示すフローチャートである。
【図８】本発明の一実施形態に係るデータ送信方法をステップ別に示すフローチャートである。
【図９】本発明の他の実施形態に係るデータ送信方法をステップ別に示すフローチャートである。
【発明を実施するための形態】
【００２２】
以下、添付の図面を参照しながら、本発明の実施形態について詳しく説明する。本発明は、さまざまな異なる形態に表現されてもよく、以下に説明する一実施形態に制限されるものと理解すべきではない。むしろ、これら実施形態は開示が十分になされおり、発明の範囲は当業者に対して十分に伝達されるであろう。図面における参照数字は、要素を示す。
【００２３】
本発明の実施形態は、多重入力多重出力システム（ＭＩＭＯ；Ｍｕｌｔｉｐｌｅ−Ｉｎｐｕｔ  Ｍｕｌｔｉｐｌｅ−Ｏｕｔｐｕｔ）基盤の無線ＬＡＮシステムに関し、より具体的には、複数のステーション間に発生するデータ衝突問題を多重入力多重出力復号化技法を用いて解決する方法に関する。
【００２４】
図１は、本発明の一実施形態に係る多重入力多重出力システムの概念を示す図である。以下、図１を参照しながら、本発明の一実施形態に係る多重入力多重出力システムの動作について詳しく説明する。
【００２５】
従来技術に係るアクセスポイントは、１つの受信アンテナのみを備える。複数のステーションが同時にそれぞれのデータストリームを送信した場合、従来技術に係るアクセスポイントは、同時に送信された複数のデータストリームのうちのいずれのデータストリームも成功的に受信することができない。複数のデータストリームは互いに衝突し、アクセスポイントが受信したデータストリームではエラーが発生する。
【００２６】
したがって、従来技術によれば、複数のステーションがデータストリームを送信するデータ送信期間を互いに異なるように選択し、各ステーションが送信するデータストリームが互いに衝突することを防いでいた。
【００２７】
図１に示す本発明の一実施形態によれば、アクセスポイント１１０は、複数の受信アンテナ１４１、１４２、１４３を備える。図１では説明の便宜上、３つの受信アンテナ１４１、１４２、１４３のみが示されているが、本発明の他の実施形態によれば、４つ以上の受信アンテナを備えてもよい。アクセスポイント１１０は、ビームフォーミング（ｂｅａｍｆｏｒｍｉｎｇ）受信スキームや空間多重化（ｓｐａｔｉａｌ  ｍｕｌｔｉｐｌｅｘｉｎｇ）受信スキームなどに応じて、複数の受信アンテナ１４１、１４２、１４３を用いて複数のデータストリームを受信する。
【００２８】
複数の受信アンテナ１４１、１４２、１４３を備えたアクセスポイント１１０は、複数のデータストリームを受信する。すなわち、複数のステーション１２０、１３０が同時にデータストリームを送信する場合でも、アクセスポイント１１０は、各データストリームを互いに区分して受信する。さらに、アクセスポイント１１０により、データストリーム受信時のエラーは低減される。
【００２９】
アクセスポイント１１０が同時に受信するデータストリームの個数は、アクセスポイント１１０の受信アンテナ１４１、１４２、１４３の個数に応じて決定される。すなわち、アクセスポイント１１０の受信アンテナ１４１、１４２、１４３の個数がＮ個である場合に、アクセスポイント１１０は、最大Ｎ個のデータストリームを同時に受信する。したがって、アクセスポイント１１０は、最大Ｎ個のステーションからデータストリームを同時に受信する。アクセスポイント１１０は、複数のステーションのうちからＮ個のステーションを送信ステーションとして選択し、この選択した送信ステーションからデータストリームを受信する。
【００３０】
ステーション１２０は、送信アンテナ１５１、１５２を備え、ステーション１３０は、送信アンテナ１６１、１６２を備える。各ステーション１２０、１３０は、複数の送信アンテナ１５１、１５２、１６１、１６２を用いて個別に複数のデータストリームをアクセスポイント１１０に送信する。各ステーション１２０、１３０は、空間多重化送信スキームなどを用いて複数のデータストリームをアクセスポイント１１０に送信する。
【００３１】
各ステーション１２０、１３０が複数のデータストリームをアクセスポイント１１０に送信する場合でも、各ステーション１２０、１３０が送信するデータストリームの個数の合計は、アクセスポイント１１０の受信アンテナ１４１、１４２、１４３の個数と同じであるか受信アンテナ１４１、１４２、１４３の個数よりもさらに少なくして、アクセスポイント１１０が、最大Ｎ個のステーションから同時にデータストリームを受信するようにしてもよい。
【００３２】
図２は、本発明の一実施形態に係るアクセスポイントの構造を示すブロック図である。以下、図２を参照しながら、本発明の一実施形態に係るアクセスポイント２００の動作について詳しく説明する。
【００３３】
本発明の一実施形態に係るアクセスポイント２００は、複数の受信アンテナ２１０と、受信部２２０と、チャンネル推定部２３０と、信号対干渉および雑音比（ＳＩＮＲ）測定部２４０と、スケジューラ２５０と、送信部２６０とを備える。
【００３４】
受信部２２０は、複数の受信アンテナ２１０を用いてチャンネル測定信号を受信する。第１ステーションおよび第２ステーション２７０、２８０は、アクセスポイントにチャンネル測定信号を送信する。ステーション２７０、２８０は、それぞれ複数の送信アンテナ２７１、２７２、２８１、２８２を用いてチャンネル測定信号を送信する。
【００３５】
各ステーション２７０、２８０は、互いに異なる位相オフセット（ｐｈａｓｅ  ｏｆｆｓｅｔ）を有する類似雑音（ＰＮ）コードを送信する。受信部２２０は、位相オフセットを用いて各ステーションを識別する。
【００３６】
各ステーション２７０、２８０は、直交コードを送信する。受信部２２０は、直交コードの直交性（ｏｒｔｈｏｇｏｎａｌｉｔｙ）を用いて各ステーション２７０、２８０から送信されたチャンネル測定信号を識別する。
【００３７】
各ステーション２７０、２８０は、各送信アンテナ２７１、２７２、２８１、２８２別に互いに異なる位相オフセットを有する類似雑音コードを送信する。各ステーション２７０、２８０は、各送信アンテナ２７１、２７２、２８１、２８２別に互いに異なる直交コードを送信する。受信部２２０は、位相オフセットまたは直交コードの直交性を用いて各送信アンテナ２７１、２７２、２８１、２８２から送信されたチャンネル測定信号を識別する。
【００３８】
チャンネル推定部２３０は、受信部２２０が受信したチャンネル測定信号を用いて、それぞれのステーション２７０、２８０から複数の受信アンテナ２１０までの無線チャンネルに対する複数のチャンネル状態行列を生成する。各ステーション２７０、２８０が１つの送信アンテナのみを備えた場合に、チャンネル状態行列はベクトル形式である。
【００３９】
スケジューラ２５０は、複数のチャンネル状態行列および複数の受信アンテナ２１０の個数を考慮して、複数のステーション２７０、２８０のうちから少なくとも１つの送信ステーションを選択する。スケジューラ２５０は、受信アンテナ２１０の個数と同じ個数のステーションを送信ステーションとして選択したり、受信アンテナ２１０の個数よりも少ない個数のステーションを送信ステーションとして選択したりする。
【００４０】
受信部２２０は、選択された送信ステーションからデータストリームを受信する。受信部２２０は、１つ以上の送信アンテナを有する特定の送信ステーションから１つ以上のデータストリームを受信する。
【００４１】
スケジューラ２５０は、それぞれの送信ステーションが送信するデータストリームの個数を決定する。スケジューラ２５０は、アクセスポイント２２０の受信アンテナ２１０の個数と同じであるか受信アンテナ２１０の個数よりも少ないように同時に送信するデータストリームの個数を決定する。
【００４２】
スケジューラ２５０は、受信部２２０が各送信ステーション２７０、２８０からデータを受信するデータ受信期間を各送信ステーション２７０、２８０に対して個別的に決定する。すなわち、スケジューラ２５０は、各送信ステーション２７０、２８０のデータ送信期間を各送信ステーション２７０、２８０に対して個別に決定する。スケジューラ２５０は、各送信ステーション２７０、２８０が同時に送信するデータストリームの個数が、アクセスポイントの受信アンテナ２１０の個数よりも少ないか複数の受信アンテナ２１０の個数と同じになるように各送信ステーション２７０、２８０のデータ送信期間を決定する。
【００４３】
スケジューラ２５０は、各ステーション２７０、２８０の送信アンテナの個数をさらに考慮して送信ステーションを選択する。本発明の一実施形態によれば、より多くの送信アンテナを備えたステーション２７０、２８０が送信ステーションとして選択される確率がより高くなることがある。
【００４４】
各ステーション２７０、２８０が複数の送信アンテナ２７１、２７２、２８１、２８２を備えた場合に、各ステーション２７０、２８０が送信するデータストリームの個数の合計は、送信アンテナ２７１、２７２、２８１、２８２の個数と同じであるかより少ない。
【００４５】
スケジューラ２５０は、複数の送信アンテナ２７１、２７２、２８１、２８２を備えたステーション２７０、２８０が複数のデータストリームを送信するように送信ステーションとして選択する。各ステーション２７０、２８０が複数のデータストリームをアクセスポイント２００に送信すれば、１つのデータストリームのみを送信する場合よりもデータ送信効率が向上する。
【００４６】
スケジューラ２５０は、送信ステーション２７０、２８０の送信アンテナ２７１、２７２、２８１、２８２のうちから、アクセスポイント２００にデータストリームを送信する特定の送信アンテナを選択する。各送信アンテナ２７１、２７２、２８１、２８２のうちから一部の送信アンテナのみをデータ送信アンテナとして選択する。すなわち、送信ステーションに４つの送信アンテナが備えられた場合に、２つの送信アンテナがデータ送信アンテナとして選択されることがある。送信ステーションは、２つのデータ送信アンテナを用いて２つのデータストリームをアクセスポイントに送信する。
【００４７】
信号対干渉および雑音比測定部２４０は、チャンネル測定信号に基づいて複数のステーション２７０、２８０からアクセスポイント２００までの無線チャンネルに対する信号対干渉および雑音比を測定し、スケジューラ２５０は、信号対雑音比をさらに考慮して送信ステーションを選択する。スケジューラ２５０は、信号対干渉および雑音比が優れた無線チャンネルに対応するステーション２７０、２８０を送信ステーションとして選択する。
【００４８】
各ステーション２７０、２８０の各送信アンテナ２７１、２７２、２８１、２８２は、互いに異なるチャンネル測定信号を送信する。信号対干渉および雑音比測定部２４０は、チャンネル測定信号に基づいて、各送信アンテナ２７１、２７２、２８１、２８２から複数の受信アンテナ２１０までの各無線チャンネルに対する信号対干渉および雑音比を測定する。スケジューラ２５０は、各無線チャンネルに対する信号対干渉および雑音比を考慮して、アクセスポイント２００にデータを送信する１つ以上のデータ送信アンテナを各送信ステーション２７０、２８０に対して個別に決定する。
【００４９】
第１ステーション２７０および第２ステーション２８０すべてを送信ステーションとして選択する。また、第１ステーション２７０の１つの送信アンテナ２７１をデータ送信アンテナとして選択し、第２ステーション２８０の２つの送信アンテナ２８１、２８２をデータ送信アンテナとして選択する。この場合に、第１ステーション２７０は、１つの送信アンテナを用いてアクセスポイントにデータを送信し、第２ステーション２８０は、２つの送信アンテナを用いてアクセスポイントにデータを送信する。アクセスポイントは、少なくとも３つの受信アンテナを用いて、第１ステーション２７０が送信する１つのデータストリームおよび第２ステーション２８０が送信する２つのデータストリームを確実に受信する。
【００５０】
送信部２６０は、スケジューラ２５０によって選択された送信ステーションの識別子をステーション２７０、２８０に送信する。各ステーション２７０、２８０は、識別子を受信して自身の識別子と比較し、各ステーションが送信ステーションとして選択されたか否かを判断する。
【００５１】
送信部２６０は、データ送信アンテナ２７１、２８１、２８２の識別子を各送信ステーション２７０、２８０に送信する。各ステーション２７０、２８０は、受信したデータ送信アンテナ２７１、２８１、２８２の識別子と自身の送信アンテナの識別子を比較して、どのアンテナを用いてアクセスポイント２００にデータを送信しなければならないかを判断する。
【００５２】
図３は、本発明の一実施形態に係る複数のステーションがアクセスポイントから受信したデータ送信期間にデータを送信する場合を示す図である。以下、図３を参照しながら、複数のステーション３１０、３３０、３５０、３７０がデータ送信期間を区分してデータを送信する本発明の一実施形態について詳しく説明する。
【００５３】
上述のように、アクセスポイントは、受信アンテナの個数に対応する個数のデータストリームを同時に受信する。すなわち、データストリームの個数が受信アンテナの個数よりも多い場合には、アクセスポイントは、各送信ステーションが同時に送信するデータストリームの個数が受信アンテナの個数と同数か、少ないようにデータストリームの送信時間を制御する。
【００５４】
図３に示す第１ステーション３１０、第２ステーション３３０、第３ステーション３５０および第４ステーション３７０は、送信ステーションとして選択される。第１期間では、第１ステーション３１０および第２ステーション３３０がそれぞれデータストリームを送信する。また、第３ステーション３５０は、データストリームを送信しない。第１期間において、第１ステーション３１０および第２ステーション３３０が送信するデータストリームの個数は、アクセスポイントの受信アンテナの個数と同じであるか受信アンテナの個数よりも少ない。
【００５５】
無線チャンネルの状態は時間によって変化する。したがって、第１期間では第３ステーションからアクセスポイントまでの無線チャンネルの状態が悪くても、第２期間では良くなる場合がある。第２期間では第３ステーション３５０が送信ステーションとして選択され、第１ステーション３１０および第２ステーション３３０が送信ステーションとして選択されない場合もある。第２期時には、送信ステーションとして選択された第３ステーション３５０がデータストリームを送信する。
【００５６】
第３期間では、第１ステーション３１０および第３ステーション３５０を送信ステーションとして選択される。第３期間において、第１ステーション３１０および第３ステーション３５０はそれぞれデータストリームを送信し、第２ステーション３３０はデータストリームを送信しない。
【００５７】
全期間を通して無線チャンネルの状態が極めて不良である第４ステーション３７０は、送信ステーションとして選択されない。
【００５８】
図３に示された本発明の一実施形態によれば、無線チャンネルの状態に応じて各ステーション３１０、３３０、３５０、３７０が送信ステーションとして選択され、少なくとも１つ以上のデータストリームをアクセスポイントに送信する。さらに、図３を参照すると、各第１ステーション３１０、第２ステーション３３０、第３ステーション３５０は、送信ステーションとして選択された時、アクセスポイントから送信された無線チャンネル状態と識別子に応じて一つ以上のデータ送信アンテナを用いて選択された期間中にデータストリームを送信する。
【００５９】
図４は、本発明の一実施形態に係るステーションの構造を示すブロック図である。以下、図４を参照しながら、本発明の一実施形態に係るステーションの動作について詳しく説明する。
【００６０】
上述したように、ステーション４００は、複数の送信アンテナ４１０と、送信部４２０と、制御部４３０と、受信部４４０とを備える。送信部４２０は、少なくとも１つ以上の送信アンテナ４１０を用いてチャンネル測定信号をアクセスポイント４５０に送信する。アクセスポイント４５０は、チャンネル測定信号に基づいて、送信アンテナからアクセスポイント４５０までの無線チャンネルに対するチャンネル状態行列を生成する。アクセスポイント４５０は、チャンネル状態行列に基づいて、アクセスポイントに接続した複数のステーションのうちからデータストリームをアクセスポイント４５０に送信する送信ステーションを選択する。
【００６１】
受信部４４０は、チャンネル測定信号に基づいて決定され、アクセスポイント４５０により選択された少なくとも１つ以上の送信ステーションの識別子を受信する。受信部４４０は、少なくとも１つの送信ステーションの識別子を含む所定の長さのデータフレームを受信する。
【００６２】
また、受信部４４０は、第１送信ステーションの識別子を受信した後に、第２送信ステーションの識別子が送信されるか否かを指示する指示子を受信する。受信部４４０は、指示子に基づいて第２送信ステーションの識別子を受信するか否かを決定する。送信ステーションの個数が多い場合に、受信部４４０は、送信ステーションの識別子を連続して受信する。
【００６３】
制御部４３０は、送信アンテナ４１０の個数およびアクセスポイント４５０の受信アンテナ４６０の個数に基づいてデータストリームのデータ送信率を決定する。制御部４３０は、送信アンテナ４１０の個数および受信アンテナ４６０の個数に比例するようにデータストリームの個数を決定する。
【００６４】
送信部４２０が複数のデータストリームをアクセスポイント４５０に送信する場合に、制御部４３０は、各データストリームに対するデータ送信率を個別的に決定する。
【００６５】
送信部４２０は、送信ステーションの識別子およびデータ送信率に基づいてデータストリームをアクセスポイント４５０に送信する。送信部４２０は、受信部４４０が受信した送信ステーションの識別子とステーション４００の識別子とを比較する。送信部４２０は、ステーション４００の識別子が送信ステーションの識別子に含まれている場合に、データストリームをアクセスポイント４５０に送信する。
【００６６】
受信部４４０は、アクセスポイント４５０からチャンネル測定信号割り当て情報を受信する。送信部４２０は、チャンネル測定信号割り当て情報に基づいてチャンネル測定信号を生成し、生成されたチャンネル測定信号をアクセスポイント４５０に送信する。すなわち、アクセスポイント４５０は、送信部４２０が送信するチャンネル測定信号を予め認知している。アクセスポイント４５０は、チャンネル測定信号を受信し、どのステーションから送信されたチャンネル測定信号であるかを判断する。
【００６７】
ステーション４００は、複数の送信アンテナ４１０を備える。受信部４４０は、送信アンテナ４１０別に互いに異なったチャンネル測定信号割り当て情報を受信する。送信部４２０は、送信アンテナ４１０別に互いに異なったチャンネル測定信号割り当て情報を生成し、生成されたチャンネル測定信号を各送信アンテナ４１０を用いてアクセスポイント４５０に送信する。
【００６８】
アクセスポイント４５０は、チャンネル測定信号を受信し、どのステーション４００のどの送信アンテナ４１０から受信されたチャンネル測定信号であるかを判断する。アクセスポイント４５０は、チャンネル測定信号を用いて、各送信アンテナ４１０からアクセスポイント４５０までの無線チャンネルに対するチャンネル状態行列を生成する。
【００６９】
アクセスポイント４５０は、各送信アンテナ４１０からアクセスポイント４５０までの無線チャンネルに対するチャンネル状態行列に基づいて送信ステーションのデータ送信アンテナを選択する。アクセスポイント４５０は、複数のステーション４００の複数の送信アンテナ４１０のうちから、無線チャンネルの状態が良い送信アンテナ４１０をデータ送信アンテナとして選択する。アクセスポイント４５０は、アクセスポイント４５０の受信アンテナ４６０の個数と同じ個数の送信アンテナ４１０または受信アンテナ４６０の個数よりも少ない個数の送信アンテナ４１０をデータ送信アンテナとして選択する。
【００７０】
受信部４４０は、送信ステーションの送信アンテナのうちから選択されたデータ送信アンテナの識別子をアクセスポイント４５０から受信する。送信部４２０は、データ送信アンテナの識別子を考慮して、少なくとも１つのデータストリームをアクセスポイントに送信する。
【００７１】
受信部４４０は、各送信ステーションに対するデータ送信期間情報をアクセスポイント４５０から受信する。
【００７２】
アクセスポイント４５０は、受信アンテナ４６０の個数を考慮して、各送信ステーションがデータストリームを送信するデータ送信期間を決定する。アクセスポイント４５０は、受信アンテナ４６０の個数と同じであるか受信アンテナ４６０の個数よりも少ない送信ステーションのみが同時にデータストリームを送信するように、各送信ステーションに対するデータ送信期間を決定する。
【００７３】
送信部４２０は、データ送信期間情報に基づいてデータストリームをアクセスポイント４５０に送信する。
【００７４】
図５は、本発明の一実施形態に係る送信ステーションの識別子を含むデータフレームの構造を示す図である。以下、図５を参照しながら、データフレームを用いて送信ステーションの識別子を送信する本発明の一実施形態について詳しく説明する。
【００７５】
上述したように、アクセスポイントは、複数のステーションのうちからアクセスポイントにデータストリームを送信する送信ステーションを選択する。アクセスポイントは、送信ステーションの識別子を各ステーションに送信し、どのステーションが送信ステーションとして選択されたかを各ステーションに送信する。
【００７６】
アクセスポイントは、各送信ステーションの識別子５１０、５２０、５３０を含むデータフレーム５００を各ステーションに送信する。図５を参照すると、第１ステーションの識別子５１０、第２ステーションの識別子５２０及び第３ステーションの識別子５３０は、データフレーム５００内に含まれる。図５では１つのデータフレーム５００のみが示されているが、送信ステーションの個数が多い場合に、アクセスポイントは、複数のデータフレームを用いて送信ステーションの識別子を各ステーションに送信する。また、送信ステーションの個数に応じて、送信ステーションの識別子を含まない領域５４０がデータフレーム５００に含まれることがある。送信ステーションの識別子を含まない領域５４０は、各ステーションに送信される制御信号またはデータストリームを含む。
【００７７】
図５に示された実施形態によれば、アクセスポイントは、既存のデータ送信フレームまたは制御信号送信フレームを用いて送信ステーションの識別子を各ステーションに送信する。すなわち、アクセスポイントは、既存のデータ送信メカニズムに対する変更を最小化しながらも、送信ステーションの識別子を各ステーションに送信する。
【００７８】
図６は、本発明の一実施形態に係る送信ステーションの識別子および指示子を送信するアクセスポイントの動作を示す図である。以下、図６を参照しながら、各送信ステーションおよび指示子を用いて複数の送信ステーションの識別子を送信する本発明の一実施形態について詳しく説明する。
【００７９】
上述したように、アクセスポイントは、第１送信ステーションの識別子６１０を送信し、第１指示子６２０を送信する。第１指示子６２０は、アクセスポイントが第１送信ステーションの識別子を送信した後に、第２送信ステーションの識別子６４０をアクセスポイントに送信するか否かに対する情報を含む。すなわち、各ステーションは、第１指示子６２０を受信することで、第２送信ステーションの識別子６４０が送信されるか否かを認知する。
【００８０】
図６に示された実施形態には、アクセスポイントが第１送信ステーションの識別子６１０を送信し、時間遅延なくすぐに第１指示子６２０を送信しているが、アクセスポイントは、第１送信ステーションの識別子６１０を送信した後に所定の時間を置いて第１指示子６２０を送信する。
【００８１】
アクセスポイントは、第１指示子６２０を送信した後に所定の待機時間６３０が経過した後、第２送信ステーションの識別子６４０を送信する。アクセスポイントは、第２送信ステーションの識別子６４０を送信した後に第２指示子６５０をアクセスポイントに送信する。図６には、２つの第１及び第２の送信ステーションのみが選択された実施形態が示されている。したがって、第２指示子６５０は、第２送信ステーションの識別子６４０を送信した後に第３送信ステーションの識別子は送信されないという情報を含んでいる。代わりに、図６に示していないが、アクセスポイントは、第２指示子６５０を送信した後に、さらに送信ステーションを選択して識別子及び指示子を送信してもよい。
【００８２】
しかし、ステーションは、第３送信ステーションの識別子を送信しないことを示す情報を含む第２識別子６５０を受信する場合、第２指示子６５０は、送信ステーションの識別子を受信する動作を終了させてもよい。
【００８３】
図７は、本発明の一実施形態に係るデータ受信方法をステップ別に示すフローチャートである。以下、図７を参照しながら、本発明の一実施形態に係るデータ受信方法について詳しく説明する。
【００８４】
図７に示す方法は、ＭＩＭＯ基盤のＷＬＡＮにおけるアクセスポイントによって実行される。ステップＳ７１０では、アクセスポイントが複数のステーションから複数の受信アンテナを用いてチャンネル測定信号を受信する。チャンネル測定信号は、類似雑音コードまたは所定の長さの直交コードを含む。ステップＳ７１０では、各ステーションが送信したチャンネル測定信号間で異なる類似雑音コードの位相オフセット差に基づいて各チャンネル測定信号を区分してもよい。また、ステップＳ７１０では、アクセスポイントが各チャンネル測定信号の直交性に基づいて各チャンネル測定信号を区分してもよい。
【００８５】
ステップＳ７２０では、アクセスポイントが、チャンネル測定信号を用いて、それぞれのステーションから複数の受信アンテナまでの無線チャンネルに対する複数のチャンネル状態行列を生成する。それぞれのステーションは、複数の送信アンテナを用いてチャンネル測定信号をアクセスポイントに送信する。この場合に、チャンネル状態行列の行数は受信アンテナの個数に基づき、列数は送信アンテナの個数に基づく。
【００８６】
それぞれのステーションは、１つの送信アンテナのみを用いてチャンネル測定信号をアクセスポイントに送信する。この場合に、チャンネル状態行列は、受信アンテナの個数を考慮した要素を有したベクトル形態である。
【００８７】
ステップＳ７３０では、アクセスポイントがチャンネル状態行列および受信アンテナの個数を考慮して、データを送信する少なくとも１つの送信ステーションを決定する。ステップＳ７３０では、アクセスポイントがチャンネル状態行列に基づいて送信アンテナと受信アンテナとの間の無線チャンネルの状態を判断する。アクセスポイントは、無線チャンネル状態に基づいて無線チャンネルに対する信号対干渉および雑音比（ＳＩＮＲ）を測定し、信号対干渉および雑音比が大きい値であれば良好な無線チャンネルとして判断する。
【００８８】
アクセスポイントは、無線チャンネルの状態が良好なステーションのうちから、受信アンテナの個数と同じ個数または受信アンテナの個数よりも少ない個数のステーションを送信ステーションとして選択する。
【００８９】
ステップＳ７４０において、アクセスポイントは、各送信ステーションが同時に送信するデータストリームの個数を決定する。特にアクセスポイントは、各送信ステーションがアクセスポイントに同時に送信するデータストリームの個数の合計がアクセスポイントの受信アンテナの個数と同じであるか受信アンテナの個数よりも少ないようにデータストリームの個数を決定する。
【００９０】
ステップＳ７５０では、アクセスポイントが選択された複数の送信ステーションに対応する識別子を各ステーションに１つまたは複数（１つ以上）送信する。各ステーションは、自身の識別子と送信ステーションの識別子とを比較し、自身の識別子が送信ステーションとして選択されたか否かを判断する。
【００９１】
ステップＳ７６０において、アクセスポイントは、１つまたは複数の選択された送信ステーションからデータストリームを受信する。
【００９２】
さらに、各ステーションは、複数の送信アンテナを備え、ステップＳ７３０では、各ステーションが備えた送信アンテナの個数をさらに考慮して送信ステーションを決定する。例えば、ステップＳ７６０において、複数の送信アンテナを備えたステーションは、送信ステーションとして選択され、各送信アンテナは、アクセスポイントにデータストリームを送信するために特定される。
【００９３】
また、ステップＳ７３０では、アクセスポイントは、各送信ステーションがデータを送信するデータ送信期間を個別に決定送信する。ステップＳ７３０で、アクセスポイントの受信アンテナの個数よりもさらに多くの個数の送信ステーションが選択された場合に、各送信ステーションがデータを送信するデータ送信期間を互いに異なるように決定する。したがって、送信ステーションが同時にアクセスポイントに送信するデータストリームの個数の合計は、アクセスポイントの受信アンテナの個数よりも少ないか受信アンテナの個数と同じである。
【００９４】
図８は、本発明の一実施形態に係るデータ送信方法をステップ別に示すフローチャートである。以下、図８を参照しながら、本発明の一実施形態に係るデータ送信方法について詳しく説明する。
【００９５】
図８に示すデータ送信方法は、ステーションによって行われる。ステップＳ８１０では、アクセスポイントが少なくとも１つの送信アンテナを用いてチャンネル測定信号をアクセスポイントに送信する。チャンネル測定信号は、類似雑音コードまたは所定の長さの直交コードを含む。アクセスポイントは、類似雑音コードの位相オフセット用いたり直交コードの直交性を用いたりして、特定チャンネル測定コードが特定のステーションから送信されたかまたは特定のステーションの特定の送信アンテナから送信されたかを判断する。
【００９６】
ステップＳ８２０では、ステーションは、チャンネル測定信号に基づいて決定された送信ステーションの識別子を受信する。ステップＳ８２０では、アクセスポイントは、送信ステーションの識別子を含む所定の長さのデータフレームを受信する。また、ステップＳ８２０では、ステーションは、第１送信ステーションの識別子を受信した後に、第２送信ステーションの識別子が送信されるか否かを指示する指示子を受信する。ステーションは、指示子に基づいて、識別子受信手順を実行するか識別子受信手順を終了するかを決定する。ステップＳ８２０では、ステーションが自身の識別子と、受信した送信ステーションの識別子とを比較する。ステーションの識別子が送信ステーションの識別子を含む場合、ステーションは、送信ステーションとして選択されたものと判断する。
【００９７】
ステップＳ８３０では、ステーションが送信アンテナの個数およびアクセスポイントの受信アンテナの個数に基づいてデータ送信率を決定する。データ送信率は、送信アンテナの個数および受信アンテナの個数に比例して決定される。
【００９８】
ステップＳ８４０では、ステップＳ８２０において、受信した識別子に応じて送信ステーションとして選択されたステーションは、データ送信率に応じてデータストリームをアクセスポイントに送信する。ステップＳ８４０では、各ステーションは自身の識別子と送信ステーションの識別子とを比較する。もし、自身の識別子が送信ステーションの識別子に含まれていれば、各ステーションは、自身の識別子が送信ステーションとして選択されたものと判断する。送信ステーションとして選択されたステーションは、データ送信率に応じて少なくとも１つ以上のデータストリームをアクセスポイントに送信する。
【００９９】
図９は、本発明の他の実施形態に係るデータ送信方法をステップ別に示すフローチャートである。以下、図９を参照しながら、本発明の一実施形態に係るデータ送信方法について詳しく説明する。
【０１００】
図９では、指示子を用いて送信ステーションの識別子を受信する方法についてステップ別に説明する。
【０１０１】
ステップＳ９１０では、ステーションは、第１送信ステーションの識別子を受信する。
【０１０２】
ステップＳ９２０では、ステーションは、第２送信ステーションの識別子が送信されるか否かに対する情報を含む指示子を受信する。
【０１０３】
ステップＳ９３０で、ステーションは、指示子に基づいて、他の送信ステーションの識別子を継続して受信しなければならないか否かを決定する。もし、指示子が識別子の送信が終了したという情報を含んでいれば、ステーションは識別子を受信する手順を終了し、ステップＳ８３０でデータ送信率を決定する。
【０１０４】
もし、指示子が指示子送信後に識別子の送信が継続するという情報を含んでいれば、ステーションは、ステップＳ９１０を繰り返して他の送信ステーションの識別子を受信する。
【０１０５】
なお、本発明の実施形態は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。例えば、本発明で説明されたアクセスポイントまたはステーションの動作のすべてまたは一部をコンピュータプログラムによって実現することができる。この場合に、このコンピュータプログラムを格納したコンピュータ読取可能な記録媒体も本発明に含まれる。
【０１０６】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【０１０７】
２１０：受信アンテナ
２２０：受信部
２３０：チャンネル推定部
２４０：信号対干渉および雑音比測定部
２５０：スケジューラ
２６０：送信部
２７０、２８０：ステーション
２７１、２７２、２８１、２８２：送信アンテナ
【図１】
2010103996.tif 000003
【図２】
2010103996.tif 000004
【図３】
2010103996.tif 000005
【図４】
2010103996.tif 000006
【図５】
2010103996.tif 000007
【図６】
2010103996.tif 000008
【図７】
2010103996.tif 000009
【図８】
2010103996.tif 000010
【図９】
2010103996.tif 000011